(57)【要約】【課題】降水量の多い時に多数の圃場を速やかに貯水池として機能させ、その後排水路からの溢水が生じないように圃場から適切に排水することができる圃場排水栓を提供する。【解決手段】圃場に貯留された水を自動排水する圃場排水栓２２であって、圃場の排水水位を調整する排水水位調節機構２２Ｅ，２２Ｈと、降水を圃場に貯水する必要があるか圃場から排水が可能かを判断する貯水判断部２２２と、前記貯水判断部から貯水指令が出力されると、前記排水水位調節機構２２Ｅ，２２Ｈを作動して、圃場の排水水位を通常の排水水位より高い貯水水位に切り替え、貯水判断部から排水指令が出力されると、前記排水水位調節機構２２Ｅ，２２Ｈを作動して、圃場の排水水位を通常の排水水位に切り替える排水水位制御部２２３と、を備えている。【選択図】図３
2019110832.tif 000002
【特許請求の範囲】
【請求項１】
圃場に貯留された水を自動排水する圃場排水栓であって、
圃場の排水水位を調整する排水水位調節機構と、
降水を圃場に貯水する必要があるか圃場から排水が可能かを判断する貯水判断部と、
前記貯水判断部から貯水指令が出力されると、前記排水水位調節機構を作動して、圃場の排水水位を通常の排水水位より高い貯水水位に切り替え、貯水判断部から排水指令が出力されると、前記排水水位調節機構を作動して、圃場の排水水位を通常の排水水位に切り替える排水水位制御部と、
を備えている圃場排水栓。
【請求項２】
圃場の水位情報を取得する水位情報取得部を備え、前記貯水判断部は、前記水位情報取得部により得られた圃場の水位の上昇速度を指標にして貯水が必要か否かを判断する請求項１記載の圃場排水栓。
【請求項３】
排水路の水位情報を取得する水位情報取得部を備え、前記貯水判断部は、前記水位情報取得部により得られた排水路の水位を指標にして排水が可能か否かを判断する請求項１または２記載の圃場排水栓。
【請求項４】
外部機器と通信する通信部をさらに備え、
前記貯水判断部は、前記通信部を介して外部機器から貯水要求を受信したときに貯水が必要であると判断する請求項１から３の何れかに記載の圃場排水栓。
【請求項５】
前記貯水判断部は、前記通信部を介して外部機器から排水要求を受信したときに排水判断する請求項４記載の圃場排水栓。
【請求項６】
圃場の排水水位を調整する排水水位調節機構と、前記排水水位調節機構を作動して、圃場の排水水位を通常の排水水位と通常の排水水位より高い貯水水位との何れかに切り替える排水水位制御部と、外部機器と通信する通信部と、を備え、固有の識別情報が設定された圃場排水栓と、
圃場または排水路の水位を計測する水位計測部と、計測水位を外部機器に送信する送信部とを備え、固有の識別情報が設定された水位センサと、
各圃場排水栓及び各水位センサと通信し、各圃場に降水を貯水する貯水指令、または、各圃場に貯水された降水を排水する排水指令を送信する貯水管理部を含む貯水管理サーバと、
を備えている圃場貯水管理システム。
【請求項７】
前記貯水管理部は、少なくとも各水位センサから送信された圃場水位の上昇速度及び識別情報から特定される所定地域ごとに貯水するか否かを判断するように構成されている請求項６記載の圃場貯水管理システム。
【請求項８】
前記貯水管理部は、何れかの地域で貯水が必要であると判断すると、その地域より標高の低い所定地域に対しても貯水が必要であると判断するように構成されている請求項７記載の圃場貯水管理システム。
【請求項９】
前記貯水管理部は、貯水が必要であると判断した後、少なくとも各水位センサから送信された排水路の水位及び識別情報から特定される所定地域ごとに排水が可能か否かを判断するように構成されている請求項６から８の何れかに記載の圃場貯水管理システム。
【請求項１０】
前記貯水管理部は、何れかの地域で排水が可能であると判断すると、標高の低い地域を標高の高い地域に優先して排水するように判断する請求項９記載の圃場貯水管理システム。
【請求項１１】
請求項６から１０の何れかに記載の圃場貯水管理システムに用いられ、各圃場に設置された圃場排水栓及び各圃場または排水路に設置された水位センサと通信し、各圃場排水栓に降水を貯水する貯水指令または排水指令を送信する貯水管理サーバ。
【請求項１２】
地域ごとに圃場または排水路の水位を検出して降水量を推定する降水量推定ステップと、
推定した降水量に基づいて貯水の要否を判断する貯水判断ステップと、
前記貯水判断ステップで貯水が必要と判断されると、該当する地域及びその地域より標高の低い地域の圃場に備えた圃場排水栓の排水水位を上げて貯水する貯水ステップと、
貯水ステップの後に、貯水された圃場から排水が可能か否かを排水路の水位に基づいて判断する排水判断ステップと、
前記排水判断ステップで排水が可能と判断されると、該当する地域のうち標高の低い地域を標高の高い地域に優先して排水する排水ステップと、
を含む圃場貯水方法。
【発明の詳細な説明】
【技術分野】
【０００１】
本発明は、圃場排水栓、圃場貯水管理システム、貯水管理サーバ及び圃場貯水方法に関する。
【背景技術】
【０００２】
特許文献１には、豪雨時に水田に貯水する「田んぼダム」機能を働かせて自動的に一定水量を貯水して、河川への雨水の流出を抑制することを可能とする水田用貯水量調整装置が開示されている。
【０００３】
当該水田用貯水量調整装置は、水田側に配置する前側を開放にし、方形状底版の奥側には下端部に排水孔を設けた垂直壁を配置し、該底版の両側に一対の側壁を配置してコ字状に形成した、水田の畔近傍に設置される水田用排水桝の該排水孔に、排水管の一方端を取り付け、該排水管の他方端を排水路に連結している。
【０００４】
そして、一対の側壁の対向位置に、土留板差し戸口を設けると共に、該土留板差し戸口と前記垂直壁のほぼ中間位置に貯水量調整板差し戸口を設け、前記土留板差し戸口には、土壌面とほぼ同じ高さの土留板を垂直に差し込むとともに、該土留板上に載置した時に営農水位となる高さの営農水位調整板を垂直に差し込み、前記貯水量調整板差し戸口には、上端高さを稲の生育状態に合わせた任意の高さである貯水水位とほぼ同じ高さに形成し、下部に排水量調整孔を穿設した貯水量調整板を垂直に差し込むように構成している。
【０００５】
通常雨量の場合は、営農水位調整板を越えて貯水量調整板との間の空間部に入った雨水が、貯水量調整板の排水量調整孔から排水孔に取り付けられた排水管を介して排水路へ排水して水田の営農水位を保持し、豪雨の場合は、営農水位調整板を越えて空間部に入った雨水は排水量調整孔からの排出量を上回り、空間部の水位が徐々に上昇し、やがて雨水は貯水量調整板の上端高さに設定した貯水水位を超えて越流させて、貯水量調整高さに越流高さを加えた高さの最高貯水水位まで雨水を貯め、水田の稲の冠水、畔の損壊する事態を防止するように構成されている。
【先行技術文献】
【特許文献】
【０００６】
【特許文献１】特開２０１２−１２０５１０号公報
【発明の概要】
【発明が解決しようとする課題】
【０００７】
しかし、豪雨による水害を回避すべく圃場に貯水する必要がある度に各圃場に備えた水田用貯水量調整装置の貯水量調整板を操作する作業が必要となるばかりか、雨が降り止み圃場の水位を通常水位に戻す場合にも各圃場に備えた水田用貯水量調整装置の貯水量調整板を操作する作業が必要となり、その都度多数の圃場に備えた水田用貯水量調整装置の貯水量調整板を操作するという非常に煩雑な作業が要求される。
【０００８】
また、一部の圃場のみ雨水を貯留可能に貯水量調整板が操作されても、他の圃場で貯水量調整板が操作されなければ十分な効果が得られず、圃場の管理者がそれぞれ異なる場合に、如何にして連系して貯水量調整板を操作するように活動できるかという点でも課題があった。
【０００９】
本発明の目的は、上述した問題に鑑み、降水量の多い時に多数の圃場を速やかに貯水池として機能させ、その後排水路からの溢水が生じないように圃場から適切に排水することができる圃場排水栓、圃場貯水管理システム、貯水管理サーバ及び圃場貯水方法を提供する点にある。
【課題を解決するための手段】
【００１０】
上述の目的を達成するため、本発明による圃場排水栓の第一の特徴構成は、特許請求の範囲の書類の請求項１に記載した通り、圃場に貯留された水を自動排水する圃場排水栓であって、圃場の排水水位を調整する排水水位調節機構と、降水を圃場に貯水する必要があるか圃場から排水が可能かを判断する貯水判断部と、前記貯水判断部から貯水指令が出力されると、前記排水水位調節機構を作動して、圃場の排水水位を通常の排水水位より高い貯水水位に切り替え、貯水判断部から排水指令が出力されると、前記排水水位調節機構を作動して、圃場の排水水位を通常の排水水位に切り替える排水水位制御部と、を備えている点にある。
【００１１】
貯水判断部によって圃場に貯水する必要があると判断されると排水水位制御部に貯水指令が出力され、排水水位制御部によって排水水位調節機構が調整されて圃場の排水水位が貯水水位に切り替えられる。また、貯水判断部から排水指令が出力されると排水水位制御部によって排水水位調節機構が調整されて圃場の排水水位が通常の排水水位に切り替えられて圃場から排水される。各圃場の排水水位調節機構が排水水位制御部によって貯水水位と配水水位の間で自動制御されるので、降水量の多い時に多数の圃場を速やかに貯水池として機能させ、その後排水路からの溢水が生じないように圃場から適切に排水することができる。
【００１２】
同第二の特徴構成は、同請求項２に記載した通り、上述の第一の特徴構成に加えて、圃場の水位情報を取得する水位情報取得部を備え、前記貯水判断部は、前記水位情報取得部により得られた圃場の水位の上昇速度を指標にして貯水が必要か否かを判断する点にある。
【００１３】
水位情報取得部により得られた圃場の水位情報が貯水判断部に入力され、貯水判断部で水位の上昇速度が算出される。その結果、例えば水害が発生する虞があるような降水量であれば貯水が必要と判断される。
【００１４】
同第三の特徴構成は、同請求項３に記載した通り、上述の第一または第二の特徴構成に加えて、排水路の水位情報を取得する水位情報取得部を備え、前記貯水判断部は、前記水位情報取得部により得られた排水路の水位を指標にして排水が可能か否かを判断する点にある。
【００１５】
水位情報取得部により取得された排水路の水位が高いときに圃場からの排水が流入すると排水路から溢流して水害につながる虞がある。そのため、得られた排水路の水位情報に基づき排水が可能か否かを判断することにより、排水路からの溢流による二次災害の発生を未然に回避することができる。
【００１６】
同第四の特徴構成は、同請求項４に記載した通り、上述の第一から第三の何れかの特徴構成に加えて、外部機器と通信する通信部をさらに備え、前記貯水判断部は、前記通信部を介して外部機器から貯水要求を受信したときに貯水が必要であると判断する点にある。
【００１７】
通信部を介して外部機器から貯水要求を受信すると、貯水判断部から排水水位制御部に貯水指令が出力されるので、広域で水害の発生を未然に回避できるようになる。例えば、計測される圃場の水位に基づけば、その時点では貯水指令を出力する程度でなくても、その後に急激に水位が上昇するような場合に事前に圃場の排水水位を通常の排水水位より高い貯水水位に切り替えることができる。
【００１８】
同第五の特徴構成は、同請求項５に記載した通り、上述の第四の特徴構成に加えて、前記貯水判断部は、前記通信部を介して外部機器から排水要求を受信したときに排水判断する点にある。
【００１９】
同様に、通信部を介して外部機器から排水要求を受信すると、貯水判断部から排水水位制御部に排水指令が出力されるので、圃場の近傍の排水路の水位のみに排水判断を異存することなく、広域で安全に排水することができる。
【００２０】
本発明による圃場貯水管理システムの第一の特徴構成は、同請求項６に記載した通り、圃場の排水水位を調整する排水水位調節機構と、前記排水水位調節機構を作動して、圃場の排水水位を通常の排水水位と通常の排水水位より高い貯水水位との何れかに切り替える排水水位制御部と、外部機器と通信する通信部と、を備え、固有の識別情報が設定された圃場排水栓と、圃場または排水路の水位を計測する水位計測部と、計測水位を外部機器に送信する送信部とを備え、固有の識別情報が設定された水位センサと、各圃場排水栓及び各水位センサと通信し、各圃場に降水を貯水する貯水指令、または、各圃場に貯水された降水を排水する排水指令を送信する貯水管理部を含む貯水管理サーバと、を備えている点にある。
【００２１】
圃場排水栓及び水位センサに付された固有の識別情報に基づいて、予め各圃場排水栓が設置された圃場の標高や地理的な位置、及び水位センサが設置された圃場や排水路の地理的な位置を対応付けることができる。そして、水位センサにより計測された水位情報から広域での降水量分布を把握することができ、各圃場排水栓の排水水位の状態も把握できる。貯水管理サーバに備えた貯水管理部は、少なくともこれらの情報に基づいて貯水水位に切り替えるべき圃場排水栓、通常の排水水位に切り替えるべき圃場排水栓を適切に選択して遠隔制御することにより、広域での水害の発生の未然防止を図ることができる。
【００２２】
同第二の特徴構成は、同請求項７に記載した通り、上述の第一の特徴構成に加えて前記貯水管理部は、少なくとも各水位センサから送信された圃場水位の上昇速度及び識別情報から特定される所定地域ごとに貯水するか否かを判断するように構成されている点にある。
【００２３】
各水位センサから送信された圃場水位の上昇速度及びその地域に基づいて、水害が発生する虞がある地域が特定され、当該地域に対応して貯水の必要な圃場が迅速に特定されるようになる。
【００２４】
同第三の特徴構成は、同請求項８に記載した通り、上述の第二の特徴構成に加えて、前記貯水管理部は、何れかの地域で貯水が必要であると判断すると、その地域より標高の低い所定地域に対しても貯水が必要であると判断するように構成されている点にある。
【００２５】
圃場水位の上昇速度が高い地域が把握されると、当該地域及び当該地域より標高が低い地域の圃場で貯水されると、水害の発生がより確実に回避されるようになる。
【００２６】
同第四の特徴構成は、同請求項９に記載した通り、上述の第一から第三の何れかの特徴構成に加えて、前記貯水管理部は、貯水が必要であると判断した後、少なくとも各水位センサから送信された排水路の水位及び識別情報から特定される所定地域ごとに排水が可能か否かを判断するように構成されている点にある。
【００２７】
降雨が止んだ後に、貯水された圃場から一斉に排水されると排水路の溢流による水害の発生の虞がある。そこで、水位センサの識別情報から排水路の位置を把握し、当該排水路の水位に基づいて溢流が生じないように地域ごとに圃場排水栓からの排水を許容するか否かが判断される。
【００２８】
同第五の特徴構成は、同請求項１０に記載した通り、上述の第四の特徴構成に加えて、前記貯水管理部は、何れかの地域で排水が可能であると判断すると、標高の低い地域を標高の高い地域に優先して排水するように判断する点にある。
【００２９】
排水可能な地域の圃場排水栓の全てから一斉に排水されると、排水路から溢流した水で二次災害が生じる虞がある。そこで、標高の低い地域を標高の高い地域に優先して排水することで、各圃場の貯水を排水路に安全に排水することができるようになる。
【００３０】
本発明による貯水管理サーバの特徴構成は、同請求項１１に記載した通り、第一から第五の何れかの特徴構成を備えた圃場貯水管理システムに用いられ、各圃場に設置された圃場排水栓及び各圃場または排水路に設置された水位センサと通信し、各圃場排水栓に降水を貯水する貯水指令または排水指令を送信する点にある。
【００３１】
本発明による圃場貯水方法の特徴構成は、同請求項１２に記載した通り、地域ごとに圃場または排水路の水位を検出して降水量を推定する降水量推定ステップと、推定した降水量に基づいて貯水の要否を判断する貯水判断ステップと、前記貯水判断ステップで貯水が必要と判断されると、該当する地域及びその地域より標高の低い地域の圃場に備えた圃場排水栓の排水水位を上げて貯水する貯水ステップと、貯水ステップの後に、貯水された圃場から排水が可能か否かを排水路の水位に基づいて判断する排水判断ステップと、前記排水判断ステップで排水が可能と判断されると、該当する地域のうち標高の低い地域を標高の高い地域に優先して排水する排水ステップと、を含む点にある。
【発明の効果】
【００３２】
以上説明した通り、本発明によれば、降水量の多い時に多数の圃場を速やかに貯水池として機能させ、その後排水路からの溢水が生じないように圃場から適切に排水することができる圃場排水栓、圃場貯水管理システム、貯水管理サーバ及び圃場貯水方法を提供することができるようになった。
【図面の簡単な説明】
【００３３】
【図１】圃場及び圃場貯水管理システムの説明図
【図２】（ａ），（ｂ），（ｃ）は圃場排水栓の説明図
【図３】圃場貯水管理システムの説明図
【図４】圃場貯水管理システムの貯水及び排水手順を示すフローチャート
【図５】圃場貯水方法の貯水時の手順を示すフローチャート
【図６】圃場貯水方法の排水時の手順を示すフローチャート
【発明を実施するための最良の形態】
【００３４】
以下に、本発明による圃場排水栓、圃場貯水管理システム、貯水管理サーバ及び圃場貯水方法を説明する。
【００３５】
図１に示すように、稲作が行なわれている各圃場１には、給水管１０に流れる用水を、導水路１１を介して圃場１に導く圃場給水栓１２、圃場１の水を、放水路２１を介して排水路２０に排水する圃場排水栓２２が設けられ、圃場１の近傍にはインターネット４０との接続を中継するＷｉ-Ｆｉルータ３０などの中継器が設置されている。さらに、圃場１の水位を計測する水位センサ２が設けられ、圃場排水栓２２の近傍の排水路２０には排水路２０の水位を計測する水位センサ３が設けられている。
【００３６】
水位センサ２で検出された圃場１の水位データは圃場給水栓１２に備えた通信部に入力され、当該通信部からＷｉ-Ｆｉルータ３０を介して圃場排水栓２２の通信部や圃場管理サーバ５０に送信されるように構成されている。また、水位センサ３により検出された排水路２０の水位データは圃場排水栓２２に備えた通信部に入力され、当該通信部からＷｉ-Ｆｉルータ３０を介して圃場管理サーバ５０に送信されるように構成されている。なお、水位センサ２の出力が圃場給水栓１２に、水位センサ３の出力が圃場排水栓２２に直接入力されるように構成されていてもよい。
【００３７】
図２（ａ），（ｂ），（ｃ）に示すように、圃場排水栓２２は、ケーシング２２Ｃと、ケーシング２２Ｃの上部に姿勢調整自在に取り付けられた太陽光パネル２２Ａと、ケーシング２２Ｃの内部に収容されたバッテリ２２Ｄ、電動モータ２２Ｅ、筒状の排水堰２２Ｈ、排水堰２２Ｈを昇降する昇降体２２Ｇ、昇降体２２Ｇを昇降駆動するギヤ２２Ｆ、制御基板２２Ｉを備えて構成されている。制御基板２２Ｉには、Ｗｉ-Ｆｉルータ３０に対する通信インタフェースや電動モータ２２Ｅに対する制御部が組み込まれている。
【００３８】
太陽光パネル２２Ａによる発電電力がバッテリ２２Ｄに蓄電され、バッテリ２２Ｄから制御基板２２Ｉ及び電動モータ２２Ｅに電力が供給されるように構成されている。図２（ｃ）に示すように、電動モータ２２Ｅによって排水堰２２Ｈが上昇駆動されると、貯水モードとなり圃場１からの排水水位が上昇し、図２（ｂ）に示すように、排水堰２２Ｈが下降駆動されると、排水モードとなり圃場１からの排水水位が下降する。
【００３９】
圃場給水栓１２は、排水堰２２Ｈに代えて給水弁を備えている点を除いて圃場排水栓２２とほぼ同様に構成されている。
【００４０】
圃場管理サーバ５０は、稲の育成スケジュールに従って、各圃場１に対して給水管理及び排水管理するべく圃場給水栓１２及び圃場排水栓２２を遠隔操作するように構成されている。
【００４１】
例えば、田植え時期、幼穂形成期、穂ばらみ期、出穂期、登熟期、収穫期など各時期に稲を適切に育成すべく圃場水位を適切な水位に管理する。そのため各時期に応じて圃場排水栓２２の排水堰２２Ｈの高さを遠隔操作して調整した後に、圃場給水栓１２の給水弁を遠隔操作して開放し、水位センサ２で検出される水位が所定水位になるまで給水管１０から給水するとともに、その後所定期間が経過すると必要に応じて排水堰２２Ｈの高さを遠隔操作で調整して所定水位まで排水するように構成されている。
【００４２】
さらに当該圃場管理サーバ５０は、上述した稲の育成のための給排水の管理に加えて、多量の降雨時に圃場１に一時的に貯水することで水害の発生を回避する貯水管理サーバとして機能するように構成されている。そのため、圃場管理サーバ５０には、各圃場排水栓２２及び各水位センサ２，３と通信し、各圃場１に降雨による水を貯める貯水指令、または、各圃場１に貯水された水を排出する排水指令を送信する貯水管理部５１を備えている。
【００４３】
即ち、圃場管理サーバ５０（貯水管理部５１）と、圃場１または排水路２０の水位を計測して、計測水位を外部機器となる圃場管理サーバ（貯水管理サーバ）５０に送信する水位センサ２，３と、各圃場１に備えた圃場排水栓２２により圃場貯水管理システム１００が構成されている。
【００４４】
図３に示すように、当該圃場排水栓２２は、圃場１の排水水位を調整する排水水位調節機構として機能する電動モータ２２Ｅ及び排水堰２２Ｈと、排水水位調節機構を作動して、圃場１の排水水位を通常の排水水位ＬＬ（図２（ｂ）参照。）と通常の排水水位より高い貯水水位ＨＬ（図２（ｃ）参照。）との何れかに切り替える排水水位制御部２２３と、固有の識別情報が設定され、貯水管理サーバ５０及び水位センサ３と通信する通信部２２１と、貯水判断部２２２と、水位計測信号やデータ通信信号により排水路２０の水位情報を取得する水位情報取得部２２４を備えている。なお、通常の排水水位ＬＬは固定水位ではなく、上述した田植え時期、幼穂形成期、穂ばらみ期、出穂期、登熟期、収穫期などの各時期に応じて適宜設定された水位をいう。
【００４５】
複数の圃場排水栓２２にそれぞれ設定された固有の識別情報により各圃場排水栓２２が一意に特定され、各識別情報と地図上の圃場位置が関連付けられた地図情報として、貯水管理サーバ５０の記憶部に記憶されている。
【００４６】
各水位センサ２，３は、圃場１または排水路２０の水位を計測する水位計測部と、水位計測部による計測水位を外部機器に送信する送信部とを備え、送信部には、固有の識別情報が設定されている。水位センサ２，３に付された固有の識別情報と地図上の圃場１の位置または排水路２０の位置が関連付けられた地図情報として、貯水管理サーバ５０の記憶部に記憶されている。
【００４７】
なお、本実施形態では、圃場１の水位センサ２に備えた送信部を介して計測水位が圃場給水栓１２を介して貯水管理サーバ５０に間接的に送信されるように構成され、排水路２０の水位センサ３に備えた送信部を介して計測水位が近傍の圃場排水栓２２を介して貯水管理サーバ５０に間接的に送信されるように構成されているが、各水位センサ２，３の送信部を介して計測水位が貯水管理サーバ５０に直接送信されるように構成されていてもよい。また、各水位センサ２，３は、圃場給水栓１２や圃場排水栓２２などの送信部を有する装置に水位計測部が接続され、当該送信部が水位情報を送信するように構成していてもよい。
【００４８】
貯水管理サーバ５０に備えた貯水管理部５１は、水位センサ２，３により計測された水位情報から広域での降水量分布を把握することができ、各圃場排水栓２２の排水水位の状態も把握できるようになる。貯水管理部５１は、少なくともこれらの情報に基づいて、貯水水位に切り替えるべき圃場排水栓２２、通常の排水水位に切り替えるべき圃場排水栓２２を適切に選択して遠隔制御することにより、広域での水害の発生の未然防止を図ることができる。
【００４９】
具体的に、貯水管理部５１は、少なくとも各水位センサ２から送信された圃場水位の上昇速度及び識別情報から特定される所定地域ごとに貯水するか否かを判断し、貯水する旨の判断を行なった場合には、該当する圃場排水栓２２に貯水指令を送信するように構成され、貯水指令を受信した圃場排水栓２２の貯水判断部２２２は、排水堰２２Ｈを貯水水位に調整するように構成されている。
【００５０】
各水位センサ２から送信された圃場水位の上昇速度及びその地域に基づいて、水害が発生する虞がある地域が特定され、当該地域に対応して貯水の必要な圃場が迅速に特定されるようになる。
【００５１】
また、貯水管理部５１は、何れかの地域で貯水が必要であると判断すると、その地域より標高の低い所定地域に対しても貯水が必要であると判断し、対象地域の圃場排水栓２２にも貯水指令を出力するように構成されている。圃場水位の上昇速度が高い地域が把握され、当該地域及び当該地域より標高が低い地域の圃場で貯水されると、水害の発生がより確実に回避されるようになる。
【００５２】
貯水管理部５１は、水位センサ２から送信された圃場水位の上昇速度に加えて、圃場給水栓１２の状態、及び、気象庁や地方自治体などが管理する気象情報提供サーバからの気象情報を加味して貯水指令を出力するように構成されていることが好ましい。圃場給水栓１２が開放されることにより水位が上昇しているのか、降雨により水位が上昇しているのかが正確に判別できるようになる。
【００５３】
例えば、気象情報に基づいて降雨が発生していないと判断でき、圃場給水栓１２が開放されている場合には、圃場の水位上昇速度が貯水指令を出力する必要がある値であっても、貯水指令を出すことなく、圃場管理サーバ５０としての本来の機能に従った圃場１の水位調整を継続する。
【００５４】
また、例えば、気象情報に基づいて降雨が発生しており、その降水量が所定降水量より多いと判断できる場合に、圃場給水栓１２が開放されていれば、本来の機能に従った圃場１の水位調整に割込みをかけて圃場給水栓１２を閉塞するとともに、圃場排水栓２２に対して貯水指令を出力する。
【００５５】
そして、貯水管理部５１は、貯水が必要であると判断し、貯水指令を出力した後、少なくとも各水位センサ３から送信された排水路２０の水位及び識別情報から特定される所定地域ごとに排水が可能か否かを判断し、可能と判断した圃場排水栓２２に対して排水指令を出力するように構成され、排水指令を受信した圃場排水栓２２の貯水判断部２２２は、排水堰２２Ｈを排水水位に調整するように構成されている。
【００５６】
降雨が止んだ後に、貯水された圃場１から一斉に排水されると排水路２０の溢流による水害の発生の虞がある。そこで、水位センサ３の識別情報から排水路２０の位置を把握し、当該排水路２０の水位に基づいて溢流が生じないように地域ごとに圃場排水栓からの排水を許容するか否かが判断される。
【００５７】
貯水管理部５１は、何れかの地域で排水が可能であると判断すると、標高の低い地域を標高の高い地域に優先して排水するように判断する。排水可能な地域の圃場排水栓２２の全てから一斉に排水されると、排水路２０から溢流した水で二次災害が生じる虞がある。そこで、標高の低い地域を標高の高い地域に優先して排水することで、各圃場の貯水を排水路に安全に排水することができるようになる。
【００５８】
図４に示すように、本発明による圃場貯水方法は、地域ごとに圃場または排水路の水位を検出して降水量を推定する降水量推定ステップと（Ｓ１）、推定した降水量に基づいて貯水の要否を判断する貯水判断ステップと（Ｓ２）、前記貯水判断ステップで貯水が必要と判断されると、該当する地域及びその地域より標高の低い地域の圃場に備えた圃場排水栓の排水水位を上げて貯水する貯水ステップと（Ｓ３）、貯水ステップの後に、貯水された圃場から排水が可能か否かを排水路の水位に基づいて判断する排水判断ステップと（Ｓ４）、前記排水判断ステップで排水が可能と判断されると、該当する地域のうち標高の低い地域を標高の高い地域に優先して排水する排水ステップと（Ｓ５）、を含む。
【００５９】
上述した実施形態では、貯水管理サーバ５０によって、複数の圃場１に備えた各圃場排水栓２２が統括的に遠隔制御される態様を説明したが、各圃場１に備えた圃場排水栓２２が独自に貯水するか否かを判断して貯水し、さらに貯水後に排水するように構成されていてもよい。
【００６０】
当該圃場排水栓２２は、圃場１の排水水位を調整する排水水位調節機構２２Ｅ，２２Ｈと、降水を圃場１に貯水する必要があるか圃場１から排水が可能かを判断する貯水判断部２２２と、貯水判断部２２２から貯水指令が出力されると、排水水位調節機構２２Ｅ，２２Ｈを作動して、圃場１の排水水位を通常の排水水位より高い貯水水位に切り替え、貯水判断部２２２から排水指令が出力されると、排水水位調節機構２２Ｅ，２２Ｈを作動して、圃場１の排水水位を通常の排水水位に切り替える排水水位制御部２２３と、を備えている。
【００６１】
また、貯水判断部２２２は、圃場１に設置された水位センサ２により検出された水位の上昇速度を指標にして貯水が必要か否かを判断するように構成されている。単に、水位の上昇速度が所定の値より大きければ貯水指令を出力するのではなく、所定時間継続する場合に貯水指令を出力するように構成することが好ましい。
そして、貯水判断部２２２は、排水路２０に設置された水位センサ３により検出された水位を指標にして排水が可能か否かを判断するように構成されている。排水路２２の水位が高いときに圃場１からの排水が流入すると排水路２０から溢流して水害につながる虞があるが、水位センサ３により検出された排水路２０の水位に基づき排水が可能か否かを判断することにより、排水路２０からの溢流による二次災害の発生を未然に回避することができる。
【００６２】
図５に示すように、貯水判断部２２２は、圃場給水栓１２が閉塞されている場合に（ＳＡ１）、降雨があると（ＳＡ２）、水位センサからの出力に基づいてその水位をモニタし（ＳＡ３）、水位の上昇速度を指標にして所定の値を超えると貯水が必要と判断すると（ＳＡ４）、排水水位を貯水水位に切換える（ＳＡ５）。ステップＳＡ２で降雨と判断されない場合、及びステップＳＡ４で水位の上昇速度が所定の値を下回っていれば、排水水位を通常水に設定する（ＳＡ６）。
【００６３】
図６に示すように、排水水位が貯水水位に設定され、貯水状態にある場合に（ＳＢ１）、降雨が止み（ＳＢ２）、所定条件が満たされると（ＳＢ３）、排水水位を通常水位に切替えて排水処理される（ＳＢ４）。
【００６４】
降雨が発生したか否か、或いは止んだか否かは、気象庁や地方自治体などが管理する気象情報提供サーバからの気象情報をＷｉ-Ｆｉルータ３０を介して入手し、あるいは、別途備えた降雨センサの出力に基づいて判断することができる。圃場の水位は水位センサ２で検出され、圃場給水栓１２、Ｗｉ-Ｆｉルータ３０を経由して得られる。上記実施形態では、降雨情報を得るステップを踏んでいるが、降雨情報なく制御する構成であってもよい。このようにして、各圃場１が個別に貯水、排水制御を行なうように構成することもできる。
【００６５】
以上説明した実施形態は本発明の一例に過ぎず、該記載により本発明の技術的範囲が限定されることを意図するものではなく、圃場排水栓、圃場貯水管理システム及び貯水管理サーバの具体的な構成は本発明による作用効果を奏する範囲において適宜変更設計可能であることはいうまでもない。
【符号の説明】
【００６６】
１００：圃場貯水管理システム
１：圃場
２：水位センサ（圃場）
３：水位センサ（排水路）
１０：給水管
１２：圃場給水栓
２０：排水路
２２：圃場排水栓
３０：Ｗｉ-Ｆｉルータ
４０：インターネット
５０：圃場管理サーバ（貯水管理サーバ）
５１：貯水管理部
【図１】
2019110832.tif 000003
【図２】
2019110832.tif 000004
【図３】
2019110832.tif 000005
【図４】
2019110832.tif 000006
【図５】
2019110832.tif 000007
【図６】
2019110832.tif 000008